【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
第１及び第２の光束を偏向して第１及び第２の被走査面を主走査方向に走査する第１及び第２の偏向器と、
前記第１及び第２の偏向器によって偏向された前記第１及び第２の光束を前記第１及び第２の被走査面に導光する第１及び第２の結像光学系とを有し、
該第１及び第２の結像光学系は、該第１及び第２の結像光学系の中で光軸を含む副走査断面内における屈折力が最も大きい第１及び第２の結像素子を備え、
前記第１の偏向器の偏向面の軸上偏向点から前記第１の結像素子までの光路上の距離は、前記第２の偏向器の偏向面の軸上偏向点から前記第２の結像素子までの光路上の距離よりも小さく、
前記第１の結像素子の屈折率、光軸上における厚さ、前記副走査断面内における屈折力、及び入射面の前記副走査断面内における屈折力をそれぞれＮ１、ｄ１、φ１及びφ１１、前記第２の結像素子の屈折率、光軸上における厚さ、前記副走査断面内における屈折力、及び入射面の前記副走査断面内における屈折力をそれぞれＮ２、ｄ２、φ２及びφ２１とするとき、
【数１】
2020030236.tif 000001
なる条件を満たすことを特徴とする光走査装置。
【請求項２】
前記第１及び第２の光束は、前記副走査断面内において前記第１及び第２の偏向器の偏向面に対して垂直に入射することを特徴とする請求項１に記載の光走査装置。
【請求項３】
第１及び第２の光束を偏向して第１及び第２の被走査面を主走査方向に走査する偏向器と、
前記偏向器によって偏向された前記第１及び第２の光束を前記第１及び第２の被走査面に導光する第１及び第２の結像光学系とを有し、
前記第１及び第２の光束は、光軸を含む副走査断面内において主走査断面に対して互いに異なる角度で前記偏向器の第１の偏向面に入射しており、
該第１及び第２の結像光学系は、該第１及び第２の結像光学系の中で前記副走査断面内における屈折力が最も大きい第１及び第２の結像素子を備え、
前記第１の偏向面の軸上偏向点から前記第１の結像素子までの光路上の距離は、該第１の偏向面の軸上偏向点から前記第２の結像素子までの光路上の距離よりも小さく、
前記第１の結像素子の屈折率、光軸上における厚さ、前記副走査断面内における屈折力、及び入射面の前記副走査断面内における屈折力をそれぞれＮ１、ｄ１、φ１及びφ１１、前記第２の結像素子の屈折率、光軸上における厚さ、前記副走査断面内における屈折力、及び入射面の前記副走査断面内における屈折力をそれぞれＮ２、ｄ２、φ２及びφ２１とするとき、
【数２】
2020030236.tif 000002
なる条件を満たすことを特徴とする光走査装置。
【請求項４】
前記偏向器によって偏向された第３及び第４の光束を第３及び第４の被走査面に導光する第３及び第４の結像光学系を有し、
前記偏向器は、前記第３及び第４の光束を偏向して前記第３及び第４の被走査面を主走査方向に走査し、
前記第３及び第４の光束は、前記副走査断面内において主走査断面に対して互いに異なる角度で前記偏向器の第２の偏向面に入射しており、
前記第３及び第４の結像光学系は、該第３及び第４の結像光学系の中で前記副走査断面内における屈折力が最も大きい第３及び第４の結像素子を備え、
前記第２の偏向面の軸上偏向点から前記第３の結像素子までの光路上の距離は、該第２の偏向面の軸上偏向点から前記第４の結像素子までの光路上の距離よりも小さく、
前記第３の結像素子の屈折率、光軸上における厚さ、前記副走査断面内における屈折力、及び入射面の前記副走査断面内における屈折力をそれぞれ、Ｎ３、ｄ３、φ３及びφ３１、前記第４の結像素子の屈折率、光軸上における厚さ、前記副走査断面内における屈折力、及び入射面の前記副走査断面内における屈折力をそれぞれ、Ｎ４、ｄ４、φ４及びφ４１とするとき、
【数３】
2020030236.tif 000003
なる条件を満たすことを特徴とする請求項３に記載の光走査装置。
【請求項５】
前記第１の結像光学系は、光路上において前記偏向器と前記第１の結像素子との間に配置された第５の結像素子を有し、
前記第２の結像光学系は、光路上において前記偏向器と前記第２の結像素子との間に配置された第６の結像素子を有し、
前記第５の結像素子の前記副走査断面内における屈折力は、前記第６の結像素子の前記副走査断面内における屈折力よりも小さいことを特徴とする請求項３または４に記載の光走査装置。
【請求項６】
前記第５の結像素子の出射面の子線チルト量は、前記第６の結像素子の出射面の子線チルト量よりも小さいことを特徴とする請求項５に記載の光走査装置。
【請求項７】
前記第２の結像素子の入射面の子線チルト量は、前記第１の結像素子の入射面の子線チルト量よりも大きいことを特徴とする請求項５または６に記載の光走査装置。
【請求項８】
前記第１及び第２の結像素子の少なくとも一方において、入射面の子線チルト量が出射面の子線チルト量よりも大きいことを特徴とする請求項５乃至７のいずれか一項に記載の光走査装置。
【請求項９】
【数４】
2020030236.tif 000004
なる条件を満たすことを特徴とする請求項１乃至８のいずれか一項に記載の光走査装置。
【請求項１０】
前記第１の結像素子の入射面及び出射面それぞれの前記副走査断面内における曲率半径をＲ１１及びＲ１２、前記第２の結像素子の入射面及び出射面それぞれの前記副走査断面内における曲率半径をＲ２１及びＲ２２とするとき、
｜Ｒ１１｜＞｜Ｒ１２｜
｜Ｒ２１｜＜｜Ｒ２２｜
なる条件を満たすことを特徴とする請求項１乃至９のいずれか一項に記載の光走査装置。
【請求項１１】
請求項１乃至１０のいずれか一項に記載の光走査装置と、該光走査装置により前記第１及び第２の被走査面に形成される静電潜像をトナー像として現像する現像器と、現像された前記トナー像を被転写材に転写する転写器と、転写された前記トナー像を前記被転写材に定着させる定着器とを備えることを特徴とする画像形成装置。
【請求項１２】
請求項１乃至１０のいずれか一項に記載の光走査装置と、外部機器から出力された信号を画像データに変換して前記光走査装置に入力するプリンタコントローラとを備えることを特徴とする画像形成装置。
【手続補正２】
【補正対象書類名】明細書
【補正対象項目名】０００５
【補正方法】変更
【補正の内容】
【０００５】
本発明に係る光走査装置は、第１及び第２の光束を偏向して第１及び第２の被走査面を主走査方向に走査する第１及び第２の偏向器と、第１及び第２の偏向器によって偏向された第１及び第２の光束を第１及び第２の被走査面に導光する第１及び第２の結像光学系とを有し、第１及び第２の結像光学系は、第１及び第２の結像光学系の中で光軸を含む副走査断面内における屈折力が最も大きい第１及び第２の結像素子を備え、第１の偏向器と第１の結像素子との間の光軸上の距離は、第２の偏向器と第２の結像素子との間の光軸上の距離よりも小さく、第１の結像素子の屈折率、光軸上における厚さ、前記副走査断面内における屈折力、及び入射面の前記副走査断面内における屈折力をそれぞれ、Ｎ１、ｄ１、φ１及びφ１１、第２の結像素子の屈折率、光軸上における厚さ、前記副走査断面内における屈折力、及び入射面の前記副走査断面内における屈折力をそれぞれ、Ｎ２、ｄ２、φ２及びφ２１とするとき、
【数１】
2020030236.tif 000005
なる条件を満たすことを特徴とする。
【手続補正３】
【補正対象書類名】明細書
【補正対象項目名】００１５
【補正方法】変更
【補正の内容】
【００１５】
なお、第２のｆθレンズ１０７及び２０７の光軸を含む副走査断面内における屈折力はそれぞれ、第１のｆθレンズ１０６及び２０６の光軸を含む副走査断面内における屈折力より大きく、すなわち第１及び第２の結像光学系８５ａ及び８５ｂの中で最も大きい。
【手続補正４】
【補正対象書類名】明細書
【補正対象項目名】００３６
【補正方法】変更
【補正の内容】
【００３６】
また、第２のｆθレンズ１０７の入射面及び出射面の光軸を含む副走査断面内における曲率半径をそれぞれＲ１１及びＲ１２としたとき、本実施形態に係る光走査装置１０では、｜Ｒ１１｜及び｜Ｒ１２｜はそれぞれ１００及び２７．２５となっている。
また、第２のｆθレンズ２０７の入射面及び出射面の光軸を含む副走査断面内における曲率半径をそれぞれＲ２１及びＲ２２としたとき、本実施形態に係る光走査装置１０では、｜Ｒ２１｜及び｜Ｒ２２｜はそれぞれ２５及び１５２．４７となっている。
【手続補正５】
【補正対象書類名】明細書
【補正対象項目名】００４８
【補正方法】変更
【補正の内容】
【００４８】
また、本実施形態に係る光走査装置において、第２のｆθレンズ３０７の入射面及び出射面の光軸を含む副走査断面内における曲率半径の絶対値｜Ｒ１１｜及び｜Ｒ１２｜はそれぞれ、１００及び１８．０４となっている。
また、第２のｆθレンズ４０７の入射面及び出射面の光軸を含む副走査断面内における曲率半径の絶対値｜Ｒ２１｜及び｜Ｒ２２｜はそれぞれ、１８及び９８．８３となっている。
【手続補正６】
【補正対象書類名】明細書
【補正対象項目名】００９５
【補正方法】変更
【補正の内容】
【００９５】
また、第２のｆθレンズ９０７の入射面及び出射面の光軸を含む副走査断面内における曲率半径をそれぞれＲ１１及びＲ１２としたとき、本実施形態に係る光走査装置５０では、｜Ｒ１１｜及び｜Ｒ１２｜はそれぞれ６０．６８及び３１．７２となっている。
また、第２のｆθレンズ１００７の入射面及び出射面の光軸を含む副走査断面内における曲率半径をそれぞれＲ２１及びＲ２２としたとき、本実施形態に係る光走査装置５０では、｜Ｒ２１｜及び｜Ｒ２２｜はそれぞれ２２．６０及び１０００となっている。
【手続補正７】
【補正対象書類名】明細書
【補正対象項目名】０１３８
【補正方法】変更
【補正の内容】
【０１３８】
また、第２のｆθレンズ９０７の入射面及び出射面の光軸を含む副走査断面内における曲率半径をそれぞれＲ１１及びＲ１２としたとき、本実施形態に係る光走査装置６０では、｜Ｒ１１｜及び｜Ｒ１２｜はそれぞれ６０．６８及び３１．７２となっている。
また、第２のｆθレンズ１００７の入射面及び出射面の光軸を含む副走査断面内における曲率半径をそれぞれＲ２１及びＲ２２としたとき、本実施形態に係る光走査装置６０では、｜Ｒ２１｜及び｜Ｒ２２｜はそれぞれ２２．６０及び１０００となっている。
【手続補正８】
【補正対象書類名】明細書
【補正対象項目名】０１４０
【補正方法】変更
【補正の内容】
【０１４０】
同様に、第２のｆθレンズ１１０７の入射面及び出射面の光軸を含む副走査断面内における曲率半径をそれぞれＲ３１及びＲ３２としたとき、本実施形態に係る光走査装置６０では、｜Ｒ３１｜及び｜Ｒ３２｜はそれぞれ６０．６８及び３１．７２となっている。
また、第２のｆθレンズ１２０７の入射面及び出射面の光軸を含む副走査断面内における曲率半径をそれぞれＲ４１及びＲ４２としたとき、本実施形態に係る光走査装置６０では、｜Ｒ４１｜及び｜Ｒ４２｜はそれぞれ２２．６０及び１０００となっている。